(57)【要約】【課題】アクセスポイントを介してインターネット接続を行う外部機器にアクセスポイントが接続されているか否かを判定することができ、未接続時に利用者にその旨を知らせることがきる電子機器を提供すること。【解決手段】車載装置１００Ａは、アクセスポイント２００を介してインターネット接続を行うＡＩスピーカ９０と接続可能であって、ＡＩスピーカ９０との接続を行うＢＴ  ＩＦ７０と、ＡＩスピーカ９０が接続された状態で所定の動作に対する起動コマンドをＡＩスピーカ９０に対して送る起動コマンド発行部１１０と、起動コマンドに対応して行われるＡＩスピーカ９０の動作結果を取得する応答取得部１２０と、取得した動作結果に基づいてＡＩスピーカ９０とアクセスポイント２００との接続の有無を判定するＡＰ接続判定部１３０と、この判定結果を利用者に通知する通知処理部１４０とを備えている。【選択図】図２
2020109894.tif 000002
【特許請求の範囲】
【請求項１】
アクセスポイントを介してインターネット接続を行う外部機器と接続可能な電子機器であって、
前記外部機器との接続を行う接続手段と、
前記接続手段によって前記外部機器が接続された状態で、所定の動作に対する動作指示を前記外部機器に対して行う動作指示手段と、
前記動作指示に対応して行われる前記外部機器の動作結果を取得する動作結果取得手段と、
前記動作結果取得手段によって取得した動作結果に基づいて、前記外部機器と前記アクセスポイントとの接続の有無を判定する接続判定手段と、
前記接続判定手段による判定結果を利用者に通知する通知手段と、
を備えることを特徴とする電子機器。
【請求項２】
前記動作指示の対象となる所定の動作は、インターネット接続を伴う動作であることを特徴とする請求項１に記載の電子機器。
【請求項３】
前記通知手段は、前記外部機器に前記アクセスポイントが接続されていない旨の判定が前記接続判定手段によって行われたときに、前記アクセスポイントがないことを警告する通知を行うことを特徴とする請求項１または２に記載の電子機器。
【請求項４】
前記接続判定手段は、前記アクセスポイントを介した通信が不能であることを示す通信エラーを含む動作結果を前記動作結果取得手段によって取得したときに、前記アクセスポイントが接続されていない旨の判定を行うことを特徴とする請求項１〜３のいずれか一項に記載の電子機器。
【請求項５】
前記接続判定手段は、前記アクセスポイントを介した通信が不能であることを示すメッセージを含む動作結果を前記動作結果取得手段によって取得したときに、前記アクセスポイントが接続されていない旨の判定を行うことを特徴とする請求項１〜３のいずれか一項に記載の電子機器。
【請求項６】
前記外部機器の外観を撮像するカメラをさらに備え、
前記接続判定手段は、前記アクセスポイントを介した通信が不能であることを示す前記外部機器の視覚的特徴を前記カメラによる撮像画像に基づいて前記動作結果取得手段によって取得したときに、前記アクセスポイントが接続されていない旨の判定を行うことを特徴とする請求項１〜３のいずれか一項に記載の電子機器。
【請求項７】
前記接続判定手段は、前記動作指示に対する前記外部機器からの応答が所定時間なく、前記動作結果取得手段によって取得した動作結果が無応答を示しているときに、前記アクセスポイントが接続されていない旨の判定を行うことを特徴とする請求項１〜３のいずれか一項に記載の電子機器。
【発明の詳細な説明】
【技術分野】
【０００１】
本発明は、インターネットに接続された外部機器と連携して動作する電子機器に関する。
【背景技術】
【０００２】
最近、ＡＩスピーカあるいはスマートスピーカと称される音声アシスタント機能を搭載したスピーカが商品化され、実用化されている。このＡＩスピーカ等は、インターネットを介して特定のサーバに接続した状態の動作を想定しており、有線あるいは無線によって接続されたアクセスポイント経由でインターネットに接続される使用形態が一般的である。
【０００３】
このようなＡＩスピーカ等の利用形態の一つとして、ＡＩスピーカ等を車両に搭載し、車載装置とブルートゥース（登録商標）で接続してＡＩスピーカ等で楽曲をダウンロードし、車載装置で再生を行うことが考えられる。このような利用形態では、ＡＩスピーカ等の他に、アクセスポイントとして機能するモバイルルータや携帯端末装置が必要になるため、モバイルルータ等の持ち込みを忘れてしまった場合にはＡＩスピーカ等も車内で使用できないことになる。このため、モバイルルータ等が接続されていないことを検出して何らかの通知を行うことができれば、早期に対応策をとることができて便利である。アクセスポイントの接続の有無を判定する車載装置としての通信機器が従来から知られている（例えば、特許文献１参照。）。この通信機器は、情報端末をアクセスポイントとした通信が可能か否かを判定し、この判定結果に基づいてアクセスポイントの変更を行っている。
【先行技術文献】
【特許文献】
【０００４】
【特許文献１】特開２０１６−１９１７７号公報
【発明の概要】
【発明が解決しようとする課題】
【０００５】
ところで、上述した特許文献１に開示された通信機器では、この通信機器に対してアクセスポイントとなりうる情報端末の接続の有無を判定している。これに対し、車内にＡＩスピーカ等を持ち込んで車載装置から指示を行う利用形態では、車載装置に接続されるのはＡＩスピーカ等であって、アクセスポイントとなるモバイルルータ等は車載装置からは認識されていない。このため、ＡＩスピーカ等（外部機器）にアクセスポイントが接続されているか否かを車載装置（電子機器）側で判断することができず、アクセスポイントが接続されていない場合であっても利用者に対して知らせることができないという問題があった。
【０００６】
本発明は、このような点に鑑みて創作されたものであり、その目的は、アクセスポイントを介してインターネット接続を行う外部機器にアクセスポイントが接続されているか否かを判定することができ、未接続時に利用者にその旨を知らせることがきる電子機器を提供することにある。
【課題を解決するための手段】
【０００７】
上述した課題を解決するために、本発明の電子機器は、アクセスポイントを介してインターネット接続を行う外部機器と接続可能な電子機器であって、外部機器との接続を行う接続手段と、接続手段によって外部機器が接続された状態で、所定の動作に対する動作指示を外部機器に対して行う動作指示手段と、動作指示に対応して行われる外部機器の動作結果を取得する動作結果取得手段と、動作結果取得手段によって取得した動作結果に基づいて、外部機器とアクセスポイントとの接続の有無を判定する接続判定手段と、接続判定手段による判定結果を利用者に通知する通知手段とを備えている。
【０００８】
外部機器に対して動作指示を行った場合に、外部機器がアクセスポイントを介してインターネット接続されているか否かによって異なる動作結果となるため、この動作結果に基づいて、外部機器にアクセスポイントが接続されているか否かを判定することができ、未接続時に利用者にその旨を知らせる通知を行うことが可能となる。
【０００９】
また、上述した動作指示の対象となる所定の動作は、インターネット接続を伴う動作であることが望ましい。インターネット接続を伴う動作であれば、アクセスポイントが接続されていない場合に何らかの異常が発生するはずであるため、この異常発生が含まれる動作結果を受け取ることにより、外部機器にアクセスポイントが接続されていないことを確実に判定することができる。
【００１０】
また、上述した通知手段は、外部機器にアクセスポイントが接続されていない旨の判定が接続判定手段によって行われたときに、アクセスポイントがないことを警告する通知を行うことが望ましい。アクセスポイントが接続されていない場合に警告を行うことで、早期に対策を立てることが可能となる。
【００１１】
また、上述した接続判定手段は、アクセスポイントを介した通信が不能であることを示す通信エラーを含む動作結果を動作結果取得手段によって取得したときに、アクセスポイントが接続されていない旨の判定を行うことが望ましい。動作結果に基づいて、通信不能を示す通信エラーの発生を確認することにより、外部機器にアクセスポイントが接続されていないことを推定することができる。
【００１２】
また、上述した接続判定手段は、アクセスポイントを介した通信が不能であることを示すメッセージを含む動作結果を動作結果取得手段によって取得したときに、アクセスポイントが接続されていない旨の判定を行うことが望ましい。動作結果に基づいて、通信不能を示すメッセージを確認することにより、外部機器にアクセスポイントが接続されていないことを推定することができる。
【００１３】
また、上述した外部機器の外観を撮像するカメラをさらに備え、接続判定手段は、アクセスポイントを介した通信が不能であることを示す外部機器の視覚的特徴をカメラによる撮像画像に基づいて動作結果取得手段によって取得したときに、アクセスポイントが接続されていない旨の判定を行うことが望ましい。動作結果に基づいて、通信不能を示す視覚的特徴を外部機器が有していることを確認することにより、外部機器にアクセスポイントが接続されていないことを推定することができる。
【００１４】
また、上述した接続判定手段は、動作指示に対する外部機器からの応答が所定時間なく、動作結果取得手段によって取得した動作結果が無応答を示しているときに、アクセスポイントが接続されていない旨の判定を行うことが望ましい。外部機器にアクセスポイントが接続されていない場合に外部機器における動作が中断してしまうことがあり、動作指示に対する応答がないことを確認することにより、外部機器にアクセスポイントが接続されていないことを推定することができる。
【図面の簡単な説明】
【００１５】
【図１】一実施形態の車載装置の全体構成を示す図である。
【図２】ＡＰ接続判定プログラムを実行することでＡＰ接続判定動作を行う電子機器として動作する車載装置の機能ブロックの構成図である。
【図３】本実施形態の車載装置の動作手順を示す流れ図である。
【発明を実施するための形態】
【００１６】
以下、本発明の電子機器を適用した一実施形態の車載装置について、図面を参照しながら説明する。
【００１７】
図１は、一実施形態の車載装置の全体構成を示す図である。図１に示すように、本実施形態の車載装置１００は、ナビゲーション処理部１０、操作部２０、入力処理部２２、表示処理部３０、表示装置３２、デジタル−アナログ変換器（Ｄ／Ａ）４０、スピーカ４２、ＣＰＵ５０、メモリ６０、ブルートゥース（登録商標）・インタフェース部（ＢＴ  ＩＦ）７０、入出力インタフェース部（Ｉ／Ｏ  ＩＦ）８０、マイクロホン８４、アナログ−デジタル変換器（Ａ／Ｄ）８６を備えている。この車載装置１００は、例えば車両に搭載されたヘッドユニットであり、ナビゲーション装置等として動作するとともに、アクセスポイント２００を介してインターネット接続を行う外部機器としてのＡＩスピーカ９０に対して所定のコマンドを発行してアクセスポイント接続の有無判定を行う動作（ＡＰ接続判定動作）を行っている。
【００１８】
ナビゲーション処理部１０は、メモリ６０に記憶されている地図データを用いて車載装置１００が搭載された車両の走行を案内するナビゲーション動作を行う。このナビゲーション動作には、ＧＰＳ装置１２を用いた自車位置検出や、自車位置周辺の地図表示、目的地までの走行経路を計算する経路探索、計算した走行経路に沿って目的地までの走行を案内する経路誘導などの各動作が含まれる。
【００１９】
操作部２０は、車載装置１００に対する利用者による操作を受け付けるためのものであり、表示装置３２の周囲に配置された各種の操作キー、操作スイッチ、操作つまみ等を含んで構成されている。また、表示装置３２に各種の操作画面や入力画面が表示された時点で、これらの操作画面や入力画面の一部を利用者が指などで直接指し示すことにより、操作画面や入力画面の表示項目を選択することができるようになっており、このような操作画面や入力画面を用いた操作を可能とするために、指し示された指などの位置を検出するタッチパネルが操作部２０の一部として備わっている。なお、タッチパネルを用いる代わりに、リモートコントロールユニット等を用いて操作画面や入力画面の一部を利用者の指示に応じて選択するようにしてもよい。入力処理部２２は、操作部２０を監視しており、利用者による操作内容を決定する。
【００２０】
表示処理部３０は、各種の操作画面や入力画面等を表示する映像信号を出力して表示装置３２にこれらの画面を表示するとともに、ナビゲーション処理部１０によって作成した地図画面や交差点案内画面、各種の警告画面等を表示する映像信号を出力して表示装置３２にこれらの画面を表示する。表示装置３２は、運転席と助手席の中央前方に設置されており、例えば液晶表示装置（ＬＣＤ）を用いて構成されている。
【００２１】
デジタル−アナログ変換器４０は、ナビゲーション処理部１０によって生成される案内音声や、車室内に忘れ物がある場合に生成される警告音声等をアナログの音声信号に変換してスピーカ４２から出力する。なお、実際には、デジタル−アナログ変換器４０とスピーカ４２の間には信号を増幅する増幅器が接続されているが、図１ではこの増幅器は省略されている。
【００２２】
ＣＰＵ５０は、メモリ６０に格納された所定のプログラムを実行することにより、車載装置１００の全体を制御するとともに、上述したＡＰ接続判定動作を行う。
【００２３】
メモリ６０は、ＣＰＵ５０の動作プログラムを格納するとともに、ＣＰＵ５０の動作に必要な各種データを格納する作業領域として用いられる。ＣＰＵ５０によって実行される動作プログラムには、上述したＡＰ接続判定動作を行うためのＡＰ接続判定プログラムが含まれている。メモリ６０は、例えば、ＲＯＭやＲＡＭ等の半導体メモリによって構成されており、これら以外にハードディスク装置などを含むようにしてもよい。
【００２４】
ブルートゥース・インタフェース部７０は、ブルートゥースによって車載装置１００とＡＩスピーカ９０等との間で無線接続（ブルートゥース接続）を行って各種データの送受信を行う通信装置（ブルートゥース機器）である。なお、車載装置１００とＡＩスピーカ９０との間の接続は、ＵＳＢケーブルを用いたり、無線ＬＡＮを用いて接続するようにしてもよい。
【００２５】
入出力インタフェース部８０は、各種の入出力機器との間で信号（データ）の入出力処理を行う。本実施形態では、信号の処理対象となる入出力機器としてカメラ８２が含まれる。
【００２６】
カメラ８２は、車内の所定範囲を撮像するためのものであり、車両の所定位置に設定されている。撮像範囲には、ＡＩスピーカ９０の外観が含まれており、ＡＩスピーカ９０にアクセスポイント２００が接続されていない場合にその旨を視覚的に知らせるインジケータ（例えば、ＬＥＤが赤色に点灯あるいは点滅）がカメラ８２の撮像画像によって確認可能になっている。
【００２７】
マイクロホン８４は、ＡＩスピーカ９０が発生する音声を集音する。この音声には、ＡＩスピーカ９０にアクセスポイント２００が接続されていない場合にその旨を知らせるメッセージ音声が含まれる。アナログ−デジタル変換器８６は、マイクロホン８４で集音された音声信号をデジタルデータに変換する。
【００２８】
図２は、ＡＰ接続判定プログラムを実行することでＡＰ接続判定動作を行う電子機器として動作する車載装置１００Ａの機能ブロックの構成図である。図２に示すように、車載装置１００Ａは、起動コマンド発行部１１０、応答取得部１２０、ＡＰ接続判定部１３０、通知処理部１４０を含んで構成されている。
【００２９】
起動コマンド発行部１１０は、ブルートゥース・インタフェース部７０を介してＡＩスピーカ９０が接続された状態で、所定の動作に対応する動作指示をＡＩスピーカ９０に対して行う。例えば、利用者がこれから発話することを知らせる発話動作指示としての起動コマンドが出力される。この起動コマンドを発行してＡＩスピーカ９０に送ることにより、利用者が発話に先立って発話ボタンを押したときと同じ状態（以後の発話音声が内蔵マイクロホンで集音可能な状態）にＡＩスピーカ９０をすることができる。
【００３０】
応答取得部１２０は、起動コマンド発行部１１０による動作指示（起動コマンド発行）に対応して行われるＡＩスピーカ９０の動作結果（起動コマンドに対応する集音や音声認識処理などの準備動作の結果）を、ブルートゥース・インタフェース部７０を介してＡＩスピーカ９０から取得する。
【００３１】
ＡＰ接続判定部１３０は、応答取得部１２０によって取得した動作結果に基づいて、ＡＩスピーカ９０とアクセスポイント２００との接続の有無を判定する。アクセスポイント２００としては、利用者が車内に持ち込んだモバイルルータやテザリング機能を有する携帯端末装置（スマートフォン）などを想定している。パスワード設定等が終了した特定のアクセスポイント２００がＡＩスピーカ９０周辺の通信可能範囲に含まれている場合には接続有の判定が行われ、含まれていない場合には未接続の判定が行われる。
【００３２】
通知処理部１４０は、ＡＰ接続判定部１３０による判定結果（特に、未接続判定が行われた場合）を利用者に通知する。この通知は、表示装置３２に所定の警告メッセージ（例えば、文字列「通信機器がありません」）を表示することにより行われる。なお、スピーカ４２から所定の警告音声を出力するようにしてもよい。
【００３３】
上述したブルートゥース・インタフェース部７０が接続手段に、起動コマンド発行部１１０が動作指示手段に、応答取得部１２０が動作結果取得手段に、ＡＰ接続判定部１３０が接続判定手段に、通知処理部１４０、表示処理部３０、表示装置３２が通知手段にそれぞれ対応する。
【００３４】
本実施形態の車載装置１００、１００Ａはこのような構成を有しており、次に、その動作を説明する。
【００３５】
図３は、本実施形態の車載装置１００Ａの動作手順を示す流れ図である。利用者（運転者）が車両に搭乗してアクセサリースイッチがオンされて車載装置１００ＡとＡＩスピーカ９０とが接続されると（これらの間のペアリングは既に完了しているものとする）、まず、起動コマンド発行部１１０は、ＡＩスピーカ９０に向けて起動コマンドを発行する（ステップ１００）。
【００３６】
次に、応答取得部１２０は、この起動コマンドに対応するフィードバックがあるか否か、具体的には、起動コマンドに対応して行われるＡＩスピーカ９０の動作結果を示す応答があったか否かを判定する（ステップ１０２）。応答がない場合には否定判断が行われ、この判定が繰り返される。
【００３７】
また、応答があった場合にはステップ１０２の判定において肯定判断が行われる。例えば、ＡＩスピーカ９０から送られてくる応答には、ＡＩスピーカ９０にアクセスポイント２００が接続されていない場合には通信エラーを示すデータが含まれる。
【００３８】
次に、ＡＰ接続判定部１３０は、応答取得部１２０によって取得した応答の内容に応じて、ＡＩスピーカ９０に接続されたアクセスポイント２００があるか否かを判定する（ステップ１０４）。取得した応答に通信エラーを示すデータが含まれていない場合には、ＡＩスピーカ９０にアクセスポイント２００が接続されているということであり、この場合には肯定判断が行われ、一連のＡＰ接続判定動作が終了する。
【００３９】
また、取得した応答に通信エラーを示すデータが含まれている場合には、ＡＩスピーカにアクセスポイント２００が接続されていないということであり、この場合にはステップ１０４の判定において否定判断が行われる。次に、通知処理部１４０は、ＡＰ接続判定部１３０による判定結果を利用者に通知する（ステップ１０６）。この例では、ＡＩスピーカ９０にアクセスポイント２００が接続されていない場合のみステップ１０６の通知動作が行われ、例えば上述したような「通信機器がありません」等の文字列を含む警告メッセージの表示や警告音声の出力が行われる。警告メッセージの表示等が行われると、一連のＡＰ接続判定動作が終了する。
【００４０】
このように、本実施形態の電子機器１００、１００Ａでは、外部機器としてのＡＩスピーカ９０に対して動作指示（起動コマンド発行）を行った場合に、ＡＩスピーカ９０がアクセスポイント２００を介してインターネット接続されているか否かによって異なる動作結果となるため、この動作結果に基づいて、ＡＩスピーカ９０にアクセスポイント２００が接続されているか否かを判定することができ、未接続時に利用者にその旨を知らせる通知を行うことが可能となる。
【００４１】
また、動作指示の対象となる所定の動作がインターネット接続を伴う動作の場合には、アクセスポイント２００が接続されていない場合に何らかの異常が発生するはずであるため、この異常発生が含まれる動作結果を受け取ることにより、ＡＩスピーカ９０にアクセスポイント２００が接続されていないことを確実に判定することができる。
【００４２】
また、ＡＩスピーカ９０にアクセスポイント２００が接続されていない旨の判定がＡＰ接続判定部１３０によって行われたときに、アクセスポイント２００が接続されていない場合に警告を通知処理部１４０によって行うことで、この警告を受け取った利用者は、早期に対策を立てることが可能となる。
【００４３】
また、応答取得部１２０が取得する動作結果には、アクセスポイント２００を介した通信が不能である場合にその旨を知らせる通信エラーを含むデータが含まれており、このような動作結果に基づいて通信不能を示す通信エラーの発生を確認することにより、ＡＩスピーカ９０にアクセスポイント２００が接続されていないことを推定することができる。
【００４４】
なお、本発明は上記実施形態に限定されるものではなく、本発明の要旨の範囲内において種々の変形実施が可能である。例えば、上述した実施形態では、ＡＩスピーカ９０にアクセスポイント２００が含まれていない場合に、動作指示に対応してＡＩスピーカ９０から送られてくる動作結果に通信エラーを示すデータが含まれているものとして説明したが、通信エラーを示すデータの代わりに、アクセスポイント２００を介した通信が不能であることを示すメッセージを示すデータが動作結果に含まれるようにしてもよい。ＡＰ接続判定部１３０は、動作結果にこのメッセージのデータが含まれているか否かを調べることにより、ＡＩスピーカ９０とアクセスポイント２００との接続の有無を判定することができる。また、このメッセージを示すデータを取得する代わりに、このメッセージの内容と同等の音声をＡＩスピーカ９０から出力し、応答取得部１２０は、この出力音声をマイクロホン８４で取り込んで音声認識処理を行い、メッセージの内容（アクセスポイント２００を介した通信が不能であること）を取得するようにしてもよい。
【００４５】
また、アクセスポイント２００を介した通信が不能の場合にＡＩスピーカ９０がその旨を視覚的に知らせるインジケータ（視覚的特徴）を点灯あるいは点滅させるものとした場合に、応答取得部１２０は、カメラ８２による撮像によって得られた画像からこのインジケータの部分画像を抽出して動作結果として取得するようにしてもよい。ＡＰ接続判定部１３０は、この動作結果（インジケータの点灯あるいは点滅）に対応して、ＡＩスピーカ９０にアクセスポイント２００が接続されていないことを判定することができる。
【００４６】
また、上述した実施形態では、取得した動作結果が通信エラー等の異常を示すものである場合に、ＡＩスピーカ９０にアクセスポイント２００が接続されていないことを推定したが、動作指示に対するＡＩスピーカ９０からの応答が所定時間なく、応答取得部１２０によって取得した動作結果が無応答を示しているときに、ＡＩスピーカ９０にアクセスポイント２００が接続されていないことを推定するようにしてもよい。ＡＩスピーカ９０にアクセスポイント２００が接続されていない場合にＡＩスピーカ９０における動作が中断して所定時間内に応答を返さない場合も考えられるため、動作指示に対する応答がないことを確認することにより、ＡＩスピーカ９０にアクセスポイント２００が接続されていないことを推定することが可能となる。
【００４７】
また、上述した実施形態では、アクセスポイント２００が接続された状態で動作する外部機器の一例としてＡＩスピーカ９０を用いたが、アクセスポイント２００が接続された状態で動作するものであれば、Ｅｃｈｏ  Ｓｈｏｗ（登録商標）などの映像系コンテンツ視聴デバイスやその他の装置を、ＡＩスピーカ９０に代わる外部機器として用いる場合にも本発明を適用することができる。また、上述した実施形態では、車載装置１００について本発明を適用したが、車両以外の屋内あるいは屋外で用いられる他の電子機器について本発明を適用することもできる。
【産業上の利用可能性】
【００４８】
上述したように、本発明によれば、外部機器に対して動作指示を行った場合に、外部機器がアクセスポイントを介してインターネット接続されているか否かによって異なる動作結果となるため、この動作結果に基づいて、外部機器にアクセスポイントが接続されているか否かを判定することができ、未接続時に利用者にその旨を知らせる通知を行うことが可能となる。
【符号の説明】
【００４９】
３０  表示処理部
３２  表示装置
５０  ＣＰＵ
６０  メモリ
７０  ブルートゥース・インタフェース部（ＢＴ  ＩＦ）
９０  ＡＩスピーカ
１００、１００Ａ  車載装置
１１０  起動コマンド発行部
１２０  応答取得部
１３０  ＡＰ接続判定部
１４０  通知処理部
【図１】
2020109894.tif 000003
【図２】
2020109894.tif 000004
【図３】
2020109894.tif 000005